(57)【要約】【課題】    屋内に配管される空調ダクトの保温装置及び保温方法であって、保温材の装着作業が従来技術に比べて格段に改善された保温装置及び保温方法を提供する。【解決手段】    保温シート１，２が、グラスウールなどの断熱材１０，２０の表面に表層紙１１，２１を貼着したものである。表層紙１１，１２には、保温シート１，２を管体に巻きつけたとき、管体の長手方向に直交する方向に向けて１本又は複数本のシート結合バンド１２，２２が設けられる。シート結合バンド１２，２２は、一端に雄型係止爪を有する雄型結合部が形成され、他端に雄型係止爪と係合する雌型係合片が形成されている。直管には直管部保温シートを巻きつけ又はエルボ管にはエルボ保温シートを巻きつけ、いずれの保温シートもシート結合バンドを結合し、各保温シートの接合部にシート固定テープを貼着する。【選択図】    図１
2010085059.tif 000002
【特許請求の範囲】
【請求項１】
保温シート（１，２）が、断熱材（１０，２０）の表面に表層紙（１１，２１）を貼着したものであって、上記表層紙には、上記保温シートを管体に巻きつけたとき、当該管体の長手方向に直交する方向に向けて１本又は複数本のシート結合バンド（１２，２２）が設けられ、該結合バンドは、一端に雄型係止爪を有する雄型結合部（１２１，２２１）が形成され、他端に上記雄型係止爪と係合する雌型係合片を有する雌型結合部（１２２，２２２）が形成されたものであることを特徴とする空調用ダクトの保温装置。
【請求項２】
保温シート（１）は、展開した平面視の形状が、方形に形成されていて直管の外表面を一定の長さ単位で被覆できる大きさを有しており、当該保温シートを直管に巻きつけたとき、表層紙（１１）に直管の長さ方向に直交する方向に向けて複数本のシート結合バンド（１２）を設けたことを特徴とする請求項１に記載の空調用ダクトの保温装置。
【請求項３】
保温シート（２）は、展開した平面視の形状が、中央部は幅が広く端部に向って幅が狭くなる略菱形形状に形成され、断面形状が湾曲しており、当該保温シートをエルボ管に巻きつけたとき、表層紙（２１）にエルボ管の長さ方向に直交する方向に向けてシート結合バンド（２２）を設けたことを特徴とする請求項１に記載の空調用ダクトの保温装置。
【請求項４】
保温シート（１，２）の表層紙（１１，２１）に設けたシート結合バンド（１２，２２）は、上記表層紙と同色のバンド固定テープ（１３，２３）によって固定されていることを特徴とする請求項１から３のいずれかに記載の空調用ダクトの保温装置。
【請求項５】
保温シート（１，２）が、断熱材（１０，２０）の表面に表層紙（１１，２１）を貼着したものであって、上記表層紙には、上記保温シートを管体に巻きつけたとき、当該管体の長手方向に直交する方向に向けて１本又は複数本のシート結合バンド（１２，２２）が設けられ、該結合バンドは、一端に雄型係止爪を有する雄型結合部が形成され、他端に上記雄型係止爪と係合する雌型係合片が形成されたものであって、直管（１００）に直管部保温シートを巻きつけ又はエルボ管（２００）にエルボ保温シートを巻きつけ、いずれの保温シートもシート結合バンド（１２，２２）の雄型結合部（１２１，２２１）と雌型結合部（１２２，２２２）を結合して当該保温シートを管体に固定し、各保温シートの接合部にシート固定テープを貼着したことを特徴とする空調ダクトの保温方法。
【発明の詳細な説明】
【技術分野】
【０００１】
本発明は、空調用ダクトの保温装置及び保温方法に関しており、さらに詳しくは、主として屋内に配管される空調ダクトの保温装置及び保温方法に関している。
【背景技術】
【０００２】
空調用ダクトの保温装置は、配管が建物の屋外に設置される場合と屋内に設置される場合とで外装部の仕上げ方法を異にしている。すなわち、配管が屋外に設置される場合は、管に被覆した保温材の表面に金属製カバーを装着して保温材を保護しているが、屋内に設置される場合は、金属性カバーは使用されず保温材が管から脱落しないようにしているだけである。従来から、保温材が脱落しないようにするために、被覆した保温材に金網をかける方法が行われている。また、近年では、保温材の片面に予め金網を装着しておき、保温材を管に被覆すれば直ちに金網を縫合できるものも開発されている（非特許文献１  １９頁記載の施工図例）。
【０００３】
これとは別に、管に被覆した保温材を亜鉛鉄線で縛ることで保温材が管から脱落しないようにする技術が紹介されている（非特許文献１  ２５頁記載の［屋内用］の図面）。
【０００４】
上記した保温装置のうち、保温材の上から金網をかける作業は手間取るので作業効率がよくないことの問題があり、また、保温材と金網が一体に形成されているもの及び被覆された保温材を亜鉛鉄線で縛る方法は、金網を巻きつけるものに比べれば作業効率は向上しているが、前者は金網を亜鉛鉄線で縫合する作業を必要とし、後者は亜鉛鉄線で保温材を縛る作業を必要とするので、金網を巻きつける方法に比べれば保温材の結合が容易であるとしても、作業効率が特に優れているとは言えないものである。
【０００５】
また、非特許文献１には、亜鉛鉄線に代えて金属バンド止め又はアルミガラスクロス粘着テープ止めができる旨の説明がなされているが、金属バンドについては結束手段が開示されておらず、また、粘着テープについては長期間の使用に耐えられるとの保証がないので、いずれの対応策も改善点が残されているのが実情である。
【０００６】
【非特許文献１】東京都千代田区九段北４−１−２８  日東紡績株式会社発行のカタログ「ロックファイバー  商品総合カタログ」１９，２５頁  ２００７年９月制作版
【発明の開示】
【発明が解決しようとする課題】
【０００７】
本発明は、主として屋内に配管される空調ダクトの保温装置及び保温方法であって、保温材の装着作業が従来技術に比べて格段に改善された保温装置及び保温方法を提供することである。
【課題を解決するための手段】
【０００８】
解決手段の第１は、保温装置であって、保温シートが、断熱材の表面に表層紙を貼着したものであって、上記表層紙には、上記保温シートを管体に巻きつけたとき、当該管体の長手方向に直交する方向に向けて１本又は複数本のシート結合バンドが設けられ、該結合バンドは、一端に雄型係止爪を有する雄型結合部を設け、他端に上記雄型係止爪と係合する雌型係合片を有する雌型結合部を設けたものであることを特徴とするものである。
【０００９】
解決手段の第２は、解決手段の第１において、保温シートは、展開した平面視形状が方形に形成されていて直管の外表面を一定の長さ単位で被覆できる大きさを有しており、当該保温シートを直管に巻きつけたとき、表層紙に直管の長さ方向に直交する方向に向けて複数本のシート結合バンドを設けたことを特徴とするものである。
【００１０】
解決手段の第３は、解決手段の第１において、保温シートは、展開した平面視形状が中央部は幅が広く端部に向って幅が狭くなる略菱形形状に形成され、断面形状が湾曲しており、当該保温シートをエルボ管に巻きつけたとき、表層紙にエルボ管の長さ方向に直交する方向に向けてシート結合バンドを設けたことを特徴とするものである。
【００１１】
解決手段の第４は、解決手段の第１から第３のいずれかにおいて、保温シートの表層紙に設けたシート結合バンドが、上記表層紙と同色のバンド固定テープによって固定されていることを特徴とするものである。
【００１２】
解決手段の第５は、保温方法であって、保温シートが断熱材の表面に表層紙を貼着したものであって、上記表層紙には、上記保温シートを管体に巻きつけたとき、当該管体の長手方向に直交する方向に向けて１本又は複数本のシート結合バンドが設けられ、該結合バンドは、一端に雄型係止爪を有する雄型結合部を設け、他端に上記雄型係止爪と係合する雌型係合片を設けたものであって、直管に直管部保温シートを巻きつけ又はエルボ管にエルボ保温シートを巻きつけ、いずれの保温シートもシート結合バンドの雄型結合部と雌型結合部を結合して当該保温シートを管体に固定し、各保温シートの接合部にシート固定テープを貼着したことを特徴とするものである。
【発明の効果】
【００１３】
請求項１は、保温シートが断熱材に貼着した表層紙に雄型及び雌型結合部を有するシート結合バンドを設けたものであり、保温シートを直管又はエルボ管に巻きつけ、シート結合バンドの雄型及び雌型結合部を結合するだけで、保温シートの装着と同時に脱落防止がなされることの効果があり、従来工法にみられる保温材の上から金網を装着するか、もしくは保温材を鉄線または金属バンドで固定するなどの作業が省略できるものであって、作業効率が特段に優れたものとなっている。
【００１４】
請求項２は、直管用の保温シートが、平面視方形に形成されていて直管の外表面を一定の長さ単位で被覆できる大きさを有しており、シート結合バンドが複数本設けられているから、保温シートの装着及びシート結合バンドの結合によって直管部へ保温シートの装着完了となるので、直管に対する保温シートの装着作業が効率よく行えるものである。
【００１５】
請求項３は、エルボ管の保温シートが、中央部は幅が広く端部に向って幅が狭くなる形状に形成されるとともに、断面形状が湾曲しており、シート結合バンドが設けられているから、保温シートの装着、シート結合バンドの結合によってエルボ管へ保温シートの装着完了となるので、エルボ管に対する保温シートの装着作業が効率よく行えるものである。
【００１６】
請求項４は、保温シートに設けたシート結合バンドが、表層紙と同色のバンド固定テープによって固定されているから、保温シートを管体に装着したときにシート結合バンドが設けられていることが一見して分からないから、保温装置として体裁がよいものが得られるものである。
【００１７】
請求項５は、保温シートが断熱材に貼着した表層紙に雄型及び雌型結合部を有するシー
ト結合バンドを設けたものであり、保温シートを直管又はエルボ管に巻きつけ、シート結合バンドの雄型及び雌型結合部を結合し、いずれの保温シートの接合部にシート固定テープを貼着することによって、保温シートの装着と同時に脱落防止がなされることの効果があり、従来工法にみられる保温材の上から金網を装着するか、もしくは保温材を鉄線または金属バンドで固定するなどの作業が省略できるものであって、作業効率が特段に優れたものとなっている。
【発明を実施するための最良の形態】
【００１８】
図１は直管に直管部保温資材を装着する状態を示しており、Ａは保温資材の装着時の斜視図、Ｂは装着前の斜視図、図２は直管と直管部保温資材を示しており、Ａは直管の斜視図、Ｂは保温資材の斜視図、図３は直管部保温資材を示しており、Ａは表面部の斜視図、Ｂは同断面図。図４は直管部保温資材の詳細を示す断面図、図５はシート結合バンドを拡大して示しており、Ａは結合前の斜視図、Ｂは結合状態の断面図である。図６はエルボ管にエルボ部保温資材を装着する状態を示しており、Ａは保温資材の装着時の斜視図、Ｂは装着前の斜視図。図７はエルボ管とエルボ部保温資材を示しており、Ａはエルボ管の斜視図、Ｂは保温資材の斜視図である。図８は直管及びエルボ管に保温資材を施工した施工状態を示す側面図である。
【００１９】
図１から図５に示す保温装置が直管部の保温装置であって、直管部保温シート１は、グラスウール、ロックウールなどで代表される繊維質状の直管部断熱材１０の表面に直管部表層紙１１を貼着したものであって、展開した平面視形状は方形に形成されており、直管１００の外表面を一定の長さ単位で被覆できる大きさを有している。また、上記直管部表層紙１１には、直管部保温シート１を直管１００に巻きつけたとき、当該直管１００の長さ方向に直交する方向に向けて１本又は複数本からなる第１のシート結合バンド１２が適宜間隔を隔てて設けられている。
【００２０】
実施形態において、第１のシート結合バンド１２は３本が設けられており、また、当該結合バンドには、一端に雄型結合部１２０が形成され、他端に雌型結合部１２１が形成されている。ここで、第１のシート結合バンド１２は第１のバンド固定テープ１３により直管表層紙１１に固定されている。なお、上記第１のバンド固定テープ１３は、粘着テープであり、直管部表層紙１１と同色のものを使用しているので、直管部表層紙１１の表面に第１のシート結合バンド１２が設けられていることは一見して分からないようになっているから、保温装置として体裁の良いものとなっている。なお、第１のシート結合バンド１２の設置本数は任意である。
【００２１】
この他、実施形態において、直管１００は、スパイラル管をはじめ各種の管体が対象になるが、本発明は、いずれの直管に対しても適応可能なものとなっている。
【００２２】
上記第１のシート結合バンド１２は帯状の薄鋼板で形成されており、一方の端部に雄型結合部１２０を有し、他端に雌型結合部１２１を有するものであり、雄型結合部１２０には端部に雄型係止爪１２０ａを設け、雌型結合部１２１には、二つ折りに折り返した第１折返し片１２１ａを先端に向って折り返して第２折返し片１２１ｂを形成し、さらに該第２折返し片１２１ｂを内側に折り返して雌型係合片１２１ｃを形成する。
【００２３】
実施形態において、上記雄型結合部１２０の雄型係止爪１２０ａは、線状に切断したのち一方の板材を上方に突出させた形状に形成したものであって、２個を並列して設けられている。ここでも、雄型係止爪１２０ａの設置数は任意である。また、上記雌型結合部１２１の第１折返し片１２１ａは、雄型結合部１２０が挿入されたとき雄型係止爪１２０ａが雌型係合片１２１ｃと係合できる長さに形成されている。なお、雄型結合部１２０を雌型結合部１２１の第１折返し片１２１ａ内に挿入すると、雄型係止爪１２０ａが雌型係合片１２１ｃと係合するので、両者が係合したのちは長さ方向に引っ張っても外れるおそれはないものとなる。
【００２４】
図６及び図７に示す保温装置がエルボ部保温装置であって、エルボ部保温シート２は、展開した平面視の形状が中央部は幅が広く端部に向って幅が狭くなる略菱形形状に形成されているが、エルボ管に巻きつけ易いように断面形状は湾曲している。ここで、エルボ部保温シート２を構成するエルボ部断熱材２０及びエルボ部表層紙２１は、上記直管部保温シート１と同じ素材で構成されている。また、エルボ部表層紙２１には、エルボ管２００の長さ方向に直交する方向に第２のシート結合バンド２２が粘着テープによる第２のバンド固定テープ２３によって固定されているとともに、当該シート結合バンド２２の一端に雄型結合部（図示は省略したが直管部保温シートの雄型結合部１２０と同じ構造）が設けられ、他端に雌型結合部（図示は省略したが直管部保温シートの雌型結合部１２１と同じ構造）を有しており、これら雄型結合部及び雌型結合部が、前者が係止爪を有しており、後者が係合片を有していることも上記直管部保温シート１の場合と同じである。
【００２５】
上記実施形態において、エルボ管２００の両端部には、本体部分よりも若干小径に形成した小径部挿入管２０１が設けられており、ダクトの組立て時に当該小径部挿入管２０１を直管１００の開口端に挿入した時、直管１００及びエルボ管２００がガタつきなく固定されるようになっている。
【００２６】
また、実施形態において、第２のシート結合バンド２２は、エルボ部保温シート２の長手方向に１本が設けられている。
【００２７】
次に、直管１００及びエルボ管２００に対して、直管部保温シート１及びエルボ部保温シート２を装着する手順を説明する。ここで、直管１００は、天井に吊下げられ又は壁面に沿って配管されているものであり、また、エルボ管２００は、予め略９０度に折り曲げられたものであって、直角方向に延びる小径部挿入管２０１が配管された直管１００の端部に差し込まれているものとする。
【００２８】
配管された直管１００に、直管部断熱材１０を内側にして直管部保温シート１を巻きつけ、第１のシート結合バンド１２の雄型結合部１２０と雌型結合部１２１を結合する。雄型結合部１２０は雄型係止爪１２０ａが形成されているから、雄型結合部１２０の先端が雌型結合部１２１に挿入されると雄型係止爪１２０ａが雌型係合片１２１ｃと係合して両者が固着され、通常の引張り力では結合を解除することが不可となる。このようにして、直管部保温シート１は、第１のシート結合バンド１２の結合によって直管１００に対して脱落しない態様で装着されることになる。
【００２９】
次に、エルボ管２００に、エルボ部保温シート２を巻きつける。エルボ部保温シート２は、エルボ管２００が屈曲している外側部分から内側に向って差し込み、エルボ部断熱材２０と直管１００に装着された直管部断熱材１０とが隙間なく装着されるようにして第２の結合バンド２２を結合する。なお、図面は、エルボ管２００を挟んで両方向に延びる直管１００のうち一方の直管に直管部保温シート１を装着した状態を示しているが、実作業では、エルボ部保温シート２を巻きつけるときは、エルボ管２００の両側に延びる直管１００に直管部保温シート１が巻きつけられているものである。このため、エルボ部保温シート２をエルボ管２００に装着した時は、直管１００及びエルボ管２００の双方に保温シートが装着されることになる。
【００３０】
図８に示すように、直管１００及びエルボ管２００に保温シート１，２が装着されのちは、直管部保温シート１の表層紙１１及びエルボ部保温シート２の表層紙２１の接合部分に第１のシート結合テープ１４を貼着し、また、直管部保温シート１とエルボ部保温シート２の接合部分に第２のシート接合テープ２４を貼着する。なお、第１及び第２の接合テープ１４，２４は上記表層紙１１，２１と同色の粘着テープを使用している。
【００３１】
以上説明したように、本発明は、直管１００及びエルボ管２００に保温シート１，２を巻きつけ結合バンド１２，２２を結合することにより、管体に対して保温材の装着と保温材の脱落防止が同時になされるものである。
【図面の簡単な説明】
【００３２】
【図１】直管に直管部保温資材を装着する状態を示しており、Ａは保温資材の装着時の斜視図、Ｂは装着前の斜視図。
【図２】直管と直管部保温資材を示しており、Ａは直管の斜視図、Ｂは直管部保温資材の斜視図。
【図３】直管部保温資材を示しており、Ａは表面部の斜視図、Ｂは同断面図。
【図４】直管部保温資材の詳細を示す断面図。
【図５】シート結合バンドを拡大して示しており、Ａは結合前の斜視図、Ｂは結合時の断面図。
【図６】エルボ管にエルボ部保温資材を装着する状態を示しており、Ａは保温資材の装着時の斜視図、Ｂは装着前の斜視図。
【図７】エルボ管とエルボ部保温資材を示しており、Ａはエルボ管の斜視図、Ｂはエルボ部保温資材の斜視図。
【図８】直管及びエルボ管に保温資材を施工した施工状態を示す側面図。
【符号の説明】
【００３３】
１  直管部保温シート
１００  直管
１０  直管部断熱材
１１  直管部表層紙
１２  第１のシート結合バンド
１２１  雄型結合部
１２２  雌型結合部
１３  第１のバンド固定テープ
１４  第１のシート固定テープ
２  エルボ部保温シート
２００  エルボ管
２０  エルボ部断熱材
２１  エルボ部表層紙
２２  第２のシート結合バンド
２３  第２のバンド固定テープ
２４  第２のシート固定テープ
【図１】
2010085059.tif 000003
【図２】
2010085059.tif 000004
【図３】
2010085059.tif 000005
【図４】
2010085059.tif 000006
【図５】
2010085059.tif 000007
【図６】
2010085059.tif 000008
【図７】
2010085059.tif 000009
【図８】
2010085059.tif 000010